(57)【特許請求の範囲】
【請求項１】
樹脂製ケースにより外部を覆われ、漏電が発生した時には負荷回路を遮断すると同時にブザー音を発するよう電路に設けられるブザー付漏電保護リレーであって、前記負荷回路を遮断するためのリレー接点を駆動させるリレーコイルと、前記ブザーと、ＳＣＲとを直列に接続するとともに、前記リレーコイルの一端を前記電路における第一の相の前記リレー接点よりも一次側に接続し、前記ＳＣＲのカソード側を前記電路における第二の相の前記リレー接点よりも一次側に接続し、前記ブザーの電源を前記電路から得られるように構成し、漏電により発生する電路に設けられた零相変流器からの出力を増幅し、前記電路における漏れ電流が一定以上になった時、トリガー信号を出力する増幅部からの該トリガー信号が前記ＳＣＲのゲートに入力され、前記ＳＣＲがトリガーされることにより、前記リレーコイルとともに該リレーコイルと直列に接続された前記ブザーにも通電されて、前記リレーコイルが前記負荷回路を遮断すると同時にブザー音を発するよう回路基板を構成し、前記ケースの内側には、該ケースと一体に樹脂成形された円筒状の共鳴筒を前記回路基板に設けられた前記ブザーを取り囲むように設けるとともに、前記ケースの共鳴筒部に小孔を設けることにより、前記回路基板と、前記共鳴筒と、前記小孔とにより共鳴室を構成し、前記ブザーの音量を増大するようにしたことを特徴とするブザー付漏電保護リレー。
【発明の詳細な説明】
【０００１】
【産業上の利用分野】
家庭用電気製品や産業用電気機器に組み込み、感電防止と機器の漏電保護を行い、更に、ブザー音を発して音により漏電状態を報知するようにした漏電保護リレーに関する。
【０００２】
【従来の技術】
従来のブザー報知型の漏電保護リレーは、図５に示すように主回路接点がｃ接点構造を有するリレーで構成され、漏電がない状態では、電源側の電圧を負荷側に供給し、漏電を検知した状態では、電源側の電圧をブザーに直接供給（負荷側は遮断）してブザー音を得るようにしている為、ブザー音は高くとれるもののｃ接点構造のリレーが必要となり、外形が大きくコスト高であった。
【０００３】
【発明が解決しようとする課題及び目的】
本発明は、外形が小さく、コストが安価で、必要なブザーの音量を発生することができるブザー付漏電保護リレーを提供することを目的としている。
【０００４】
【課題を解決するための手段】
樹脂製ケースにより外部を覆われ、漏電が発生した時には負荷回路を遮断すると同時にブザー音を発するよう電路に設けられるブザー付漏電保護リレーであって、前記負荷回路を遮断するためのリレー接点を駆動させるリレーコイルと、前記ブザーと、ＳＣＲとを直列に接続するとともに、前記リレーコイルの一端を前記電路における第一の相の前記リレー接点よりも一次側に接続し、前記ＳＣＲのカソード側を前記電路における第二の相の前記リレー接点よりも一次側に接続し、前記ブザーの電源を前記電路から得られるように構成し、漏電により発生する電路に設けられた零相変流器からの出力を増幅し、前記電路における漏れ電流が一定以上になった時、トリガー信号を出力する増幅部からの該トリガー信号が前記ＳＣＲのゲートに入力され、前記ＳＣＲがトリガーされることにより、前記リレーコイルとともに該リレーコイルと直列に接続された前記ブザーにも通電されて、前記リレーコイルが前記負荷回路を遮断すると同時にブザー音を発するよう回路基板を構成し、前記ケースの内側には、該ケースと一体に樹脂成形された円筒状の共鳴筒を前記回路基板に設けられた前記ブザーを取り囲むように設けるとともに、前記ケースの共鳴筒部に小孔を設けることにより、前記回路基板と、前記共鳴筒と、前記小孔とにより共鳴室を構成し、前記ブザーの音量を増大するようにしたことを特徴としてブザー付漏電保護リレーを提供したものであり、これにより、小型のブザーを用いながら、前記樹脂製ケースを一部とした前記共鳴筒または前記共鳴箱により音量が増大できるとともに、ブザーを駆動するためのｃ接点構造のリレーを用いる必要がなく構造の簡単なｂ接点構造のリレーを用いることが可能となり、全体的に小さく、安価に構成できる。

【０００５】
【実施例の説明】
図１は、本発明のブザー付漏電保護リレーの第１の実施例であり、図２は、本発明のブザー付漏電保護リレーの回路ブロック図の実施例である。
【０００６】
図２の１は、電力線２および３を１次導体とし、負荷回路で発生した漏れ電流を検出する零相変流器である。
図２の４は、漏れ電流が一定値以上になった時、ＳＣＲ５をトリガーさせる増幅部である。
図２の６はブザー、７はリレーコイルで前記ＳＣＲがトリガーした時に電圧印加され、ブザー音を発すると同時にリレーが動作し、リレー接点８、９が電力回路を遮断して負荷回路を保護する。
【０００７】
図１は、図２で説明した回路構成を有する漏電保護リレーの構造を説明している。
【０００８】
図１の１０は、樹脂製ケース１１と一体に樹脂成形された円筒状の共鳴筒であり、ブザー６を取り囲み、図２に示す回路の部品（図示せず）を搭載した回路基板１５と前記樹脂製ケースに開けた小孔１２とにより共鳴室を構成している。
【０００９】
図１において、前記共鳴筒は回路基板１５とほぼ密着して共鳴室を構成するが、前記ブザーと密着させてもよい。ここで、共鳴室の容積及び前記小孔の大きさは、前記ブザーの発振周波数により最適に定める。
【００１０】
図２に示す回路構成では、漏電検出してＳＣＲ５が増幅部４の出力によりターンオンした時、リレーコイル７に電圧印加されてリレー接点８及び９を開いて電力回路を遮断すると同時に、ブザー６に電圧印加されて前記ブザーが発音する機能を有する。従って、図５の従来例のようにｃ接点構造を有するリレーを用いる必要がなく、小型で安価なリレーを使用することができる。
【００１１】
しかしながら、前記ブザーに流れる電流は、前記リレーコイルに流れる電流に制約を受け、十分な音量を発するために必要な電流が得にくい欠点がある。
【００１２】
そこで、図１に示すように前記樹脂製ケースの一部にブザーを囲むかたちの共鳴室を設けることにより、必要な音量を得ることが可能となり、全体として小型で安価なブザー付漏電保護リレーを得るものである。
【００１３】
なお、本発明には、直流の小電流で駆動する小型の例えば圧電ブザーが使用できるので、さらに、外形を小型にすることができる。
【００１４】
図３は、図１に示す構造の第２の実施例で、樹脂製ケース１１と回路基板１５の間に仕切り板１３を入れて、前記仕切り板と樹脂製ケースの一部と、小孔１２と、前記回路基板とによって共鳴室を構成しており、第１の実施例と同様の効果を有する。
【００１５】
図４は、図１に示す構造の第３の実施例で、樹脂製ケース１１と、小孔１２と、回路基板１５とは分離した小基板１６によって共鳴室を構成しており、第１の実施例と同様の効果を有する。
【００１６】
【発明の効果】
以上のように、本発明によれば、従来例に比べ、外形が小さく、コストが安く、必要な音量を十分とることが可能なブザー付漏電保護リレーを提供できる。
【図面の簡単な説明】
【図１】本発明のブザー付漏電保護リレーのブロック図である。
【図２】本発明のブザー付漏電保護リレーの第１の構造実施例の図である。
【図３】本発明のブザー付漏電保護リレーの第２の構造実施例の図である。
【図４】本発明のブザー付漏電保護リレーの第３の構造実施例の図である。
【図５】従来のブザー付漏電保護リレーのブロック図である。
【符号の説明】
１  零相変流器
２  電力線
３  電力線
４  増幅部
５  ＳＣＲ
６  ブザー
７  リレーコイル
８  リレー接点
９  リレー接点
１０  共鳴筒
１１  樹脂製ケース
１２  樹脂製ケースに開けた小孔
１３  仕切り板
１４
１５  回路基板
１６  小基板
【図１】
0003995756.tif 000002
【図２】
0003995756.tif 000003
【図３】
0003995756.tif 000004
【図４】
0003995756.tif 000005
【図５】
0003995756.tif 000006